(57)【要約】【目的】  地震、洪水、火災、交通事故などの災害により緊急時に外部から遮断されるような緊急時に確実に警笛を発生することができる警笛機能付きカードを提供する。【解決手段】  クレジットカード、キャッシュカード、交通機関のプリペイドカードなどに、空気吹き込み口、空気たまり口および空気排出口からなる警笛機能を付与したカード。これらのカードは財布あるいはカードケースに通常収納されており、警笛を発生する機能を付与するために設けた空気吹き込み口、空気たまり口および空気排出口に、埃や小さなごみが詰まる心配がないため、災害等により外部から遮断されるような緊急時に確実に警笛を発生することができる。【選択図】  図１
2007062342.tif 000002
【特許請求の範囲】
【請求項１】
警笛発生機能を有することを特徴とするカード。
【請求項２】
空気吹き込み口、空気たまり口および空気排出口からなる警笛発生機能を有することを特徴とする請求項１記載のカード。
【発明の詳細な説明】
【技術分野】
【０００１】本発明は、警笛を発生させることができるカードに関するものである。
【背景技術】
【０００２】地震、洪水、火災、交通事故などの様々な災害が発生した際に、倒壊した建物、エレベーターの中、地下鉄の構内などに閉じ込められてしまう可能性がある。特に都市部ではこの可能性が高い。このような外部から遮断された状況から、一刻も早く外部に脱出するには、外部の救護者に自分の居場所を知らせることが重要である。外部にいる救護者らに自分の居場所を知らせる最も簡単な方法としては大声を出すことであるが、単に体力を大きく消耗させるだけでなく大きな効果は得られない。このため、外部から遮断された状況から脱出するためは、笛により警笛を発生させることが非常に有効な方法である。笛により警笛を発生することは、大声を出すより遥かに体力の消耗が小さく、かつ外部に効果的に喚起させることができる。しかしながら、災害が発生した直後は人々の災害への意識が高くなり、笛などを携帯するが、災害への意識の低下とともに通常の生活では常時必要としない笛を携帯しなくなるようになる。【０００３】  そこで外出時に携帯するものに警笛発生機能を付与した様々な技術が開示されている。例えば、警笛発声機能を備えた携帯電話（特許文献１）、警笛発生機能を備えたライター（特許文献２）、警笛発生機能を備えた鍵（特許文献３）、警笛機能付名札（特許文献４）などがある。しかしながら、特許文献１〜４に開示されているものはポッケットや鞄の中にむき出しの状態で携帯することが一般的であり、警笛発生機能を付与するために開けた吹き口や排気口に日常生活で発生する埃や小さなゴミ、あるいは災害時に発生した粉塵が詰まったりするため、必要時にその機能を発揮できない可能性が高い。また、特許文献１の携帯電話に警笛発生機能を付けたものはデザイン的にも望ましくなく、特許文献２のライターは通常ライターを携帯しない非喫煙者には常備携帯しないといった問題があり、特許文献３の鍵は、自宅に留守番がいる場合、携帯していない可能性が高い、特許文献４の名札は洋服を着替える際に取り付けなおさなければならず非常に手間であるといった問題がある。【０００４】
【特許文献１】特開２００３−２９８７１０号公報
【特許文献２】特開平０８−１１０９４８号公報
【特許文献３】特開平１１−２２３０５４号公報
【特許文献４】登録実用新案第３１０４３７１号公報
【発明の開示】
【発明が解決しようとする課題】
【０００５】本発明は、災害時に確実に警笛を発生することが可能であり、外出時に常に携帯することのできるカードを提供することを課題とする。
【課題を解決するための手段】
【０００６】本発明者らは鋭意検討の結果、上記課題を解決するため、警笛発生機能を有したカードを見出し、本発明を完成するに至った。
【発明の効果】
【０００７】本発明のカードは、外出時に常時携帯するクレジットカード、キャッシュカード、あるいは「Ｓｕｉｃａ」などの交通機関のプリペイドカード等に警笛機能を付与したものである。これらのカードは財布やカードケースに通常収納されているため、警笛を発生する機能を付与するために開けた空気吹き込み口や空気排気口に埃や小さなごみが詰まる心配がなく、緊急時に確実に警笛を発生することができる。また、財布やカードケースなどは洋服のポケットなどに入れて携帯することが多いため、災害に直面してパニック状態になった場合においてもどこかに落とすなどの問題は発生しにくい。
【発明を実施するための最良の形態】
【０００８】  本発明は、カードに警笛発生機能を有したものである。本発明のカードとは、クレジットカード、キャッシュカード、「Ｓｕｉｃａ」などの交通機関のプリペイドカード等を例示することができるが制限されるものではない。
本発明のカードの材質としては、プラスチィック、紙、金属などを使用することができ、特に限定されるものではない。プラスチィックとしては、ポリスチレン系樹脂、ポリアクリル酸系樹脂、ポリメタクリル酸系樹脂、ポリ塩化ビニル系樹脂、ポリカードネート系樹脂、ポリエチレン系樹脂、ポリエーテル系樹脂、ポリオレフィン系樹脂、ポリウレタン系樹脂などを上げることができ、これらを単独あるいは共重合体、混合物を原料とした用いることができるが特に制限されるものではない。また、カードの印刷適性などを向上させるために、各種無機填料などの添加、表面処理することは好ましい。紙としては、単層あるいは多層で構成されていてもよく特に制限はないが、疎水性樹脂、撥水性樹脂などを塗工、含浸、ラミネートすることで、耐水性、耐油性、強度などを付与したものを用いることが望ましい。また、プラスチックと同様に印刷適性などを向上させるための処理をすることは好ましい。【０００９】  本発明のカード本体の構成としては、プラスチック単体、紙単体、金属単体、一種類あるいは二種類以上のプラスチックの積層体、一種類あるいは二種類以上のプラスチックと紙あるいは／および金属との積層体、紙と金属の積層体など例示することができるが、これらに限定されるものではない。
本発明のカードはＣＤ、ＡＴＭ、自動改札などの装置での使用されるため、警笛を発生する機能のため設けられた部分が破損しないようすることが望ましい。カードが破損しないようにする方法としては、例えば、前記装置のカード送り部分のロールなどに接触しないような場所に警笛を発生する機能を設ける、硬く耐久性のある材質を用いたカードにする、軟らかく復元性のある材質を用いたカードにする、硬く耐久性のある材質と軟らかく復元性のある材質を積層するなど例示すことができるが、これらに制限されるものではない。また、警笛を発生する部分の大きさは、カードの強度に影響しないように適宜調整することが望ましい。【００１０】  本発明のカードの製造方法に関しても特に制限されるものではないが、警笛発生機能部分である空気吹き込み口、空気たまり口および空気排出口を分割して製造することが生産性の点から望ましい。具体的には、それぞれ三つの部分、あるいは空気吹き込み口および空気たまり口と空気排出口の二つの部分、あるいは空気吹き込みと空気たまり口および空気排出口の二つの部分に分割し、それぞれ形成した単層あるいは二層以上の層を積層させてカードを製造することは望ましい。【００１１】  本発明において、警笛を発生させる機構の例示として、空気吹き込み口、空気たまり口および空気排出口から構成されるものを挙げることができる。また、空気吹き込み口、空気たまり口および空気排出口の大きさなどを適宜調製することで、所望の警笛音にすることが可能である。
【実施例】
【００１２】以下、本発明の警笛発声機能付きカード実施例を図１〜図２を参照して説明する。
図１は空気吹き込み口１がカード側面、カード内に空気たまり口２、カード表面に空気排出口が設けられている。【００１３】  図２はカードの一方の表面に空気吹き込み口１、他方の表面に空気排出口３、カード内に空気たまり口２が設けられている。
【図面の簡単な説明】
【００１４】
【図１】本発明に係わる端部に吹き込み口がある警笛発声機能付きカードの断面図
【図２】本発明に係わる端部に吹き込み口がある警笛発声機能付きカードの上面図
【図３】本発明に係わる上面部に吹き込み口のある警笛発声機能付きカードの断面図
【図４】本発明に係わる上面部に吹き込み口のある警笛発声機能付きカードの断面図
【符号の説明】
【００１５】    １・・・空気吹き込み口
２・・・空気たまり口
３・・・空気排出口
４・・・カード本体
Ａ・・・切断面の箇所
【図１】
2007062342.tif 000003
【図２】
2007062342.tif 000004
【図３】
2007062342.tif 000005
【図４】
2007062342.tif 000006